(57)【特許請求の範囲】
【請求項１】
可動体の動作により演出を行なう可動演出装置を備えた遊技機において、
前記可動演出装置は、
所定間隔離間して前記可動体の移動方向に沿って延在する第１支え部材および第２支え部材と、
前記可動体における両支え部材の間に挿入された支持部に自由回転可能に配設されて両支え部材に円周面が対向し、一方の支え部材に当接して可動体の移動時に転動するローラと、
前記ローラを挟んで一方の側に位置する前記第２支え部材に設けられ、ローラを挟んで他方の側に位置する前記第１支え部材との間で配線を押さえる配線押さえ部とを備え、
前記支持部は、可動体に設けられて第１支え部材側に臨む受部と、第２支え部材側に臨んで該受部との間で前記ローラを自由回転可能に支持する取付部材とから構成され、
前記受部に、前記ローラの円周面を第１支え部材側に突出可能な開口部が形成されると共に、前記取付部材に、前記ローラの円周面を第２支え部材側に突出可能な開口部が形成され、
前記取付部材は、前記ローラに対して支持部の移動方向の前方側または後方側に偏倚した位置で受部に対してローラの回転軸線に沿う平面内で回動可能に取付けられると共に、該受部に対して取付部材を固定するよう構成される
ことを特徴とする遊技機。
【請求項２】
可動体の動作により演出を行なう可動演出装置を備えた遊技機において、
前記可動演出装置は、
所定間隔離間して前記可動体の移動方向に沿って延在する第１支え部材および第２支え部材と、
前記可動体における両支え部材の間に挿入された支持部に自由回転可能に配設されて両支え部材に円周面が対向し、一方の支え部材に当接して可動体の移動時に転動するローラと、
前記ローラを挟んで一方の側に位置する前記第２支え部材に設けられ、ローラを挟んで他方の側に位置する前記第１支え部材との間で配線を押さえる配線押さえ部とを備え、
前記支持部は、可動体に設けられて第１支え部材側に臨む受部と、第２支え部材側に臨んで該受部との間で前記ローラを自由回転可能に支持する取付部材とから構成され、
前記受部に、前記ローラの円周面を第１支え部材側に突出可能な開口部が形成されると共に、前記取付部材に、前記ローラの円周面を第２支え部材側に突出可能な開口部が形成され、
前記取付部材は、前記ローラに対して支持部の移動方向の前方側または後方側に偏倚した位置で受部に対してローラの回転軸線に沿う平面内で回動可能に取付けられ、
前記取付部材に、前記可動体の一面に当接して受部の開口部と取付部材の開口部とを整合する位置に該取付部材を位置決めする第１規制部と、該第１規制部が可動体の一面に当接した状態で該一面と交差する可動体の他面に対向して当接可能な第２規制部とが設けられ、前記第１規制部が可動体の一面から離間する方向への取付部材の回転を、前記ローラに開口部の内縁が接触しない範囲で該第２規制部が可動体の他面に当接することで規制するよう構成される
ことを特徴とする遊技機。
【請求項３】
前記第１支え部材および第２支え部材の間に位置するように支え部材に規制突部が設けられ、該規制突部で前記配線押さえ部で押さえられた配線の前記ローラの移動領域側への変位を規制するよう構成される請求項１または２記載の遊技機。
【請求項４】
前記第１支え部材および第２支え部材の間に位置するように支え部材に区画壁が設けられ、該区画壁で前記ローラの移動領域と前記配線の引き回し領域とを区画するよう構成される請求項１〜３の何れか一項に記載の遊技機。
【請求項５】
遊技球が流下可能な遊技領域が前側に設けられる板部材および該板部材の裏側に配設され、前側に開口する箱枠状に形成されて前記可動演出装置が配設された裏ユニットとから遊技盤が構成され、前記第１支え部材、第２支え部材の配線押さえ部、および両支え部材における前記ローラの移動領域から離間する端縁側に臨む前記裏ユニットの壁部により配線を囲む引き回し経路が画成される請求項１〜４の何れか一項に記載の遊技機。
【請求項６】
前記可動体が移動終端で停止した際に、前記支持部における位置決め部に当接して可動体の荷重を支持する端部側で、前記受部および取付部材に設けた凸部および凹部が嵌合してネジ止めされている請求項１〜５の何れか一項に記載の遊技機。
【請求項７】
前記可動体の移動方向に等間隔で離間した位置で固定手段により前記第１支え部材および第２支え部材が固定される請求項１〜６の何れか一項に記載の遊技機。
【発明の詳細な説明】
【技術分野】
【０００１】
この発明は、可動体の動作により演出を行なう可動演出装置を備えた遊技機に関するものである。
【背景技術】
【０００２】
代表的な遊技機であるパチンコ機は、前面に遊技領域が画成される板部材と、該板部材の裏側に配設された裏ユニットとから遊技盤が構成され、該遊技盤の盤面に画成した遊技領域の略中央位置に枠状の装飾部材が配設されて、遊技盤の裏側に配設された液晶式やドラム式等の図柄表示装置の表示部を前記装飾部材の窓口の後側に臨ませ、この図柄表示装置で図柄組み合わせゲームやリーチ演出等の遊技演出を行なうよう構成されている。パチンコ機では、所要の動作を行なう可動体を備えた可動演出装置や発光装置を遊技盤や装飾部材に配設し、該可動体を図柄表示装置で行なわれる遊技演出に合わせて動作させたり発光装置を図柄表示装置で行なわれる遊技演出に合わせて発光させることにより、視覚的な演出効果を向上させて遊技の興趣を高めている(例えば、特許文献１参照)。またパチンコ機では、前記装飾部材とは別の装飾体を遊技盤に配設し、該装飾体を裏側から発光装置により照明することが行なわれている(例えば、特許文献２参照)。
【先行技術文献】
【特許文献】
【０００３】
【特許文献１】特開２０１０−１２０４２号公報
【特許文献２】特開２０１０−１７２４９号公報
【発明の概要】
【発明が解決しようとする課題】
【０００４】
パチンコ機では、興趣のある遊技を行なうために、遊技盤に前記可動体や発光装置を複数配設する傾向にあり、そのために板部材の裏側には、可動体の移動を案内する部品や、該可動体および発光装置等の各種電気部品から導出して対応する制御基板まで引き回される配線を可動体と干渉しないように結束したり保持するための複数の部品が必要になる。すなわち、部品点数の増加に伴って各部品を遊技盤に組付けるための組付け部も増加し、組付け工数が増えると共に組付け構造が複雑になる問題を招いている。また、特許文献２のように発光装置により裏側から照明される装飾体を配設したパチンコ機では、該装飾体の照明効果により興趣のある発光演出を行なうことはできるが、該装飾体は専ら発光演出にのみ寄与するものであるため、更に部品点数および組付け部の増加を招く難点が指摘される。
すなわち本発明は、従来の技術に係る遊技機に内在する前記課題に鑑み、これを好適に解決するべく提案されたものであって、部品点数を低減して組付け構造の簡略化を図り得る遊技機を提供することを目的とする。
【課題を解決するための手段】
【０００５】
前記課題を克服し、所期の目的を達成するため、本願の請求項１に係る発明は、
可動体(45)の動作により演出を行なう可動演出装置(42)を備えた遊技機において、
前記可動演出装置(42)は、
所定間隔離間して前記可動体(45)の移動方向に沿って延在する第１支え部材(76)および第２支え部材(87)と、
前記可動体(45)における両支え部材(76,87)の間に挿入された支持部(68)に自由回転可能に配設されて両支え部材(76,87)に円周面が対向し、一方の支え部材(76,87)に当接して可動体(45)の移動時に転動するローラ(67)と、
前記ローラ(67)を挟んで一方の側に位置する前記第２支え部材(87)に設けられ、ローラ(67)を挟んで他方の側に位置する前記第１支え部材(76)との間で配線(36)を押さえる配線押さえ部(91)とを備え、
前記支持部(68)は、可動体(45)に設けられて第１支え部材(76)側に臨む受部(69)と、第２支え部材(87)側に臨んで該受部(69)との間で前記ローラ(67)を自由回転可能に支持する取付部材(70)とから構成され、
前記受部(69)に、前記ローラ(67)の円周面を第１支え部材(76)側に突出可能な開口部(69a)が形成されると共に、前記取付部材(70)に、前記ローラ(67)の円周面を第２支え部材(87)側に突出可能な開口部(70b)が形成され、
前記取付部材(70)は、前記ローラ(67)に対して支持部(68)の移動方向の前方側または後方側に偏倚した位置で受部(69)に対してローラ(67)の回転軸線に沿う平面内で回動可能に取付けられると共に、該受部(69)に対して取付部材(70)を固定するよう構成されることを特徴とする。
請求項１の発明によれば、可動体のローラを支持可能な第２支え部材に、配線を押さえる配線押さえ部を設けることで、該第２支え部材の多機能化が図られ、部品点数を低減して組付け工数を少なくし得ると共に組付け構造を簡略化し得る。また、受部に対して取付部材を取付部位を中心に位置調節することで、受部の開口部と取付部材の開口部とを整列することができる。従って、成形誤差や組付け誤差等によってローラが開口部の内縁に接触して円滑な転動が阻害されるおそれのある場合は、受部に対して取付部材を位置調節することで、ローラが開口部の内縁に接触しない状態とすることができ、可動体の円滑な動作を図り得る。
【０００６】
前記課題を克服し、所期の目的を達成するため、本願の請求項２に係る発明は、
可動体(45)の動作により演出を行なう可動演出装置(42)を備えた遊技機において、
前記可動演出装置(42)は、
所定間隔離間して前記可動体(45)の移動方向に沿って延在する第１支え部材(76)および第２支え部材(87)と、
前記可動体(45)における両支え部材(76,87)の間に挿入された支持部(68)に自由回転可能に配設されて両支え部材(76,87)に円周面が対向し、一方の支え部材(76,87)に当接して可動体(45)の移動時に転動するローラ(67)と、
前記ローラ(67)を挟んで一方の側に位置する前記第２支え部材(87)に設けられ、ローラ(67)を挟んで他方の側に位置する前記第１支え部材(76)との間で配線(36)を押さえる配線押さえ部(91)とを備え、
前記支持部(68)は、可動体(45)に設けられて第１支え部材(76)側に臨む受部(69)と、第２支え部材(87)側に臨んで該受部(69)との間で前記ローラ(67)を自由回転可能に支持する取付部材(70)とから構成され、
前記受部(69)に、前記ローラ(67)の円周面を第１支え部材(76)側に突出可能な開口部(69a)が形成されると共に、前記取付部材(70)に、前記ローラ(67)の円周面を第２支え部材(87)側に突出可能な開口部(70b)が形成され、
前記取付部材(70)は、前記ローラ(67)に対して支持部(68)の移動方向の前方側または後方側に偏倚した位置で受部(69)に対してローラ(67)の回転軸線に沿う平面内で回動可能に取付けられ、
前記取付部材(70)に、前記可動体(45)の一面に当接して受部(69)の開口部(69a)と取付部材(70)の開口部(70b)とを整合する位置に該取付部材(70)を位置決めする第１規制部(75)と、該第１規制部(75)が可動体(45)の一面(50b)に当接した状態で該一面(50b)と交差する可動体(45)の他面(50c)に対向して当接可能な第２規制部(73)とが設けられ、前記第１規制部(75)が可動体(45)の一面(50b)から離間する方向への取付部材(70)の回転を、前記ローラ(67)に開口部(69a,70b)の内縁が接触しない範囲で該第２規制部(73)が可動体(45)の他面(50c)に当接することで規制するよう構成されることを特徴とする。
請求項２の発明によれば、可動体のローラを支持可能な第２支え部材に、配線を押さえる配線押さえ部を設けることで、該第２支え部材の多機能化が図られ、部品点数を低減して組付け工数を少なくし得ると共に組付け構造を簡略化し得る。また、受部に対して取付部材を取付部位を中心に位置調節することで、受部の開口部と取付部材の開口部とを整列することができる。従って、成形誤差や組付け誤差等によってローラが開口部の内縁に接触して円滑な転動が阻害されるおそれのある場合は、受部に対して取付部材を位置調節することで、ローラが開口部の内縁に接触しない状態とすることができ、可動体の円滑な動作を図り得る。更に、受部に対して取付部材を、ローラが開口部の内縁に接触しない姿勢に保持することができ、可動体のより円滑な動作を図り得る。
【０００７】
請求項３に係る発明では、前記第１支え部材(76)および第２支え部材(87)の間に位置するように支え部材(76,87)に規制突部(85)が設けられ、該規制突部(85)で前記配線押さえ部(91)で押さえられた配線(36)の前記ローラ(67)の移動領域側への変位を規制するよう構成されることを要旨とする。
請求項３の発明によれば、更に部品点数を低減して組付け工数を少なくし得ると共に組付け構造の簡略化を図り得る。
【０００８】
請求項４に係る発明では、前記第１支え部材(76)および第２支え部材(87)の間に位置するように支え部材(76,87)に区画壁(80)が設けられ、該区画壁(80)で前記ローラ(67)の移動領域と前記配線(36)の引き回し領域とを区画するよう構成されることを要旨とする。
請求項４の発明によれば、可動体と配線とが干渉するのを防止して、可動体の円滑な移動を達成し得る。
【０００９】
請求項５に係る発明では、遊技球が流下可能な遊技領域(18a)が前側に設けられる板部材(18)および該板部材(18)の裏側に配設され、前側に開口する箱枠状に形成されて前記可動演出装置(42)が配設された裏ユニット(19)とから遊技盤(17)が構成され、前記第１支え部材(76)、第２支え部材(87)の配線押さえ部(91)、および両支え部材(76,87)における前記ローラ(67)の移動領域から離間する端縁側に臨む前記裏ユニット(19)の壁部(34c)により配線(36)を囲む引き回し経路(92)が画成されることを要旨とする。
請求項５の発明によれば、可動演出装置が配設される裏ユニットを利用して配線の引き回し経路を画成することで、より部品点数を低減して組付け工数を少なくし得ると共に組付け構造の簡略化を図り得る。
【００１１】
請求項６に係る発明では、前記可動体(45)が移動終端で停止した際に、前記支持部(68)における位置決め部(82)に当接して可動体(45)の荷重を支持する端部側で、前記受部(69)および取付部材(70)に設けた凸部(72)および凹部(74)が嵌合してネジ止めされていることを要旨とする。
請求項６に係る発明によれば、支持部における受部と取付部材とが嵌合してネジ止めされる端部は剛性が高く、この端部側で可動体の荷重を支持することで、可動体が位置決め部に当接した際の衝撃の影響が受部と取付部材とによるローラの支持部分へ加わるのを抑制し得る。
請求項７に係る発明では、前記可動体(45)の移動方向に等間隔で離間した位置で固定手段(84,95)により前記第１支え部材(76)および第２支え部材(87)が固定されることを要旨とする。
請求項７の発明によれば、可動体の移動方向において第１支え部材と第２支え部材とを適正な間隔に固定することができる。
【発明の効果】
【００１２】
本発明に係る遊技機によれば、可動体のローラを支持可能な支え部材に、配線の保持機能を付与することで、部品点数を低減して組付け工数を少なくし得ると共に組付け構造を簡略化することができる。
【図面の簡単な説明】
【００１３】
【図１】本発明の好適な実施例に係るパチンコ機を示す正面図である。
【図２】実施例に係る遊技盤を示す正面図である。
【図３】実施例に係る裏ユニットを、可動演出装置等の各種部品を取付けた状態で示す正面図である。
【図４】実施例に係る裏ユニットを、可動演出装置および該装置に関連した部品を取外した状態で示す正面図である。
【図５】実施例に係る裏ユニットから可動演出装置および該装置に関連した部品を取外して示す分解斜視図である。
【図６】実施例に係る裏ユニットを、主可動体が第２位置にある状態で示す正面図である。
【図７】実施例に係る裏ユニットを、第２位置にある主可動体に対して副可動体が作動位置にある状態で示す正面図である。
【図８】実施例に係る可動演出装置や支え部材等を前側から視た分解斜視図である。
【図９】実施例に係る可動演出装置の概略斜視図である。
【図１０】実施例に係る可動演出装置を前側から視た分解斜視図である。
【図１１】実施例に係る可動演出装置を後側から視た分解斜視図である。
【図１２】実施例に係る可動演出装置の駆動部分を示す要部背面図である。
【図１３】実施例に係るローラの受部を示す正面図である。
【図１４】実施例に係るローラの受部を示す側面図である。
【図１５】実施例に係るローラの取付部材を示す図であって、(ａ)は正面図、(ｂ)は背面図、(ｃ)は底面図、(ｄ)は右側面図である。
【図１６】実施例に係る受部に対して取付部材を回動した状態を示す説明図である。
【図１７】実施例に係る主可動体の支持部分を示す要部正面図である。
【図１８】実施例に係る主可動体の支持部分を第２支え部材を取外した状態で示す要部正面図である。
【図１９】実施例に係る第１支え部材に第２支え部材を取付けた状態で示す斜視図である。
【図２０】実施例に係る第１支え部材と第２支え部材とを分解した状態で示す斜視図である。
【図２１】実施例に係る第１支え部材と第２支え部材とを分解した状態で示す側面図である。
【図２２】実施例に係る主可動体の支持部分を示す横断面図である。
【図２３】実施例に係る第２支え部材と装飾部材との位置決め構造を示す要部平面図である。
【図２４】図３のＡ−Ａ線断面図である。
【発明を実施するための形態】
【００１４】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１５】
(パチンコ機について)
実施例に係るパチンコ機１０は、図１に示すように、矩形枠状に形成されて遊技店の図示しない設置枠台に固定される固定枠としての外枠１１の開口前面側に、後述する遊技盤１７(図２参照)が着脱可能に保持された本体枠としての中枠１２が開閉および着脱可能に組付けられて、該遊技盤１７の裏側に対して、各種図柄を変動表示可能な図柄表示装置１３が着脱し得るよう配設されている。また、前記中枠１２の前面側には、前記遊技盤１７を透視保護するガラス板を備えた装飾枠としての前枠１４が開閉可能に組付けられると共に、該前枠１４の下方にパチンコ球を貯留する下球受け皿１５が開閉可能に組付けられる。なお、実施例では、前記前枠１４の下部位置に、パチンコ球を貯留する上球受け皿１６が一体的に組付けられており、前枠１４の開閉に合わせて上球受け皿１６も一体的に開閉するよう構成される。また、前記中枠１２の裏側には、遊技に供されたパチンコ球を遊技店側に設けた球回収設備に排出する球回収部(図示せず)が設けられている。
【００１６】
(遊技盤について)
前記中枠１２に配設される前記遊技盤１７は、図２または図３に示すように、前面(盤面)にパチンコ球が流下可能な遊技領域１８ａが画成され、合板等の木製からなる平板状の板部材１８と、該板部材１８の裏面に組付けられて前記図柄表示装置１３が着脱可能に配設されると共に、後述する可動演出装置４２や複数の発光基板３９,４０等の遊技部品が配設される合成樹脂材で形成された裏ユニット１９とから構成され、該裏ユニット１９に形成された前後に開口する開口部１９ａを介して図柄表示装置１３の表示部を前面側から視認し得るよう構成されている。裏ユニット１９に形成される開口部１９ａは、図４または図５に示す如く、該裏ユニット１９の上下および左右幅の大部分が開口する大型の開口部である。ここで、前記板部材１８および裏ユニット１９は、外郭形状が略整合する大きさおよび形状に形成されて、該板部材１８と裏ユニット１９とを組付けた状態で板部材１８の裏面を裏ユニット１９で全面的に覆うよう構成される。
【００１７】
(板部材について)
図２に示すように、前記板部材１８の前面には、円弧状に形成した案内レール２０が配設されると共に、該案内レール２０の右方位置に、左端縁が右方に凹む円弧状に形成した第１盤面飾り部材２１が配設されている。そして、前記案内レール２０および第１盤面飾り部材２１により前記遊技領域１８ａが略円形状に画成され、該遊技領域１８ａに、前記中枠１２に配設された図示しない打球発射装置から発射されたパチンコ球が遊技領域１８ａ内に打ち出され、該遊技領域１８ａ内をパチンコ球が流下して遊技が行なわれるようになっている。なお、打球発射装置から発射されたパチンコ球は、板部材１８の下側から左側に案内レール２０で案内されて、遊技領域１８ａの左上部に打ち出される。また、前記板部材１８の遊技領域１８ａ内には、多数の遊技釘が植設されており、該遊技釘との接触により遊技領域１８ａを流下するパチンコ球の流下方向が不規則に変更するよう構成してある。なお、板部材１８の盤面には、前記案内レール２０の左方(遊技領域１８ａの外側)の上下位置に第２盤面飾り部材２２が夫々が配設されている。
【００１８】
前記板部材１８には、図１または図２に示す如く、後述する装飾部材２６の配設位置より下方位置に、前記遊技領域１８ａを流下するパチンコ球が入賞可能な始動入賞装置２３や特別入賞装置２４が配設されている。始動入賞装置２３は、前記遊技領域１８ａを流下するパチンコ球が入賞可能な上下の始動入賞口２３ａが設けられる。そして、前記始動入賞装置２３の始動入賞口２３ａへ入賞したパチンコ球が始動入賞センサ(図示せず)で検出されることで、図柄表示装置１３の表示部で図柄変動が開始されると共に、所定数(例えば５個)のパチンコ球が賞球として前記上下の球受け皿１５,１６に払い出される。なお、下側の始動入賞口２３ａを挟む左右位置には、相互に近接および離間するよう揺動可能な一対の羽根部材(開閉部材)２３ｂ,２３ｂが設けられており、裏側に設けたソレノイド等の駆動手段の駆動により羽根部材２３ｂ,２３ｂを揺動することで、下側の始動入賞口２３ａが開閉されるようになっている。
【００１９】
前記特別入賞装置２４は、入賞口２４ａが開閉扉(開閉部材)２４ｂで常には閉鎖されており、前記図柄表示装置１３での図柄変動の結果、図柄表示装置１３に所定の図柄組み合わせ(例えば同一図柄の三つ揃い等)で図柄が停止表示されることで所謂「大当り」が発生し、これにより開閉扉２４ｂが開放するよう作動制御されて(図１または図２参照)、入賞口２４ａへの入賞により多数の賞球を獲得し得るようになっている。なお、板部材１８には、特別入賞装置２４の左右両側に、常に入賞口を開放している普通入賞装置２５が夫々配設される。
【００２０】
(装飾部材について)
前記板部材１８には、前後に貫通する貫通孔(図示せず)が形成されており、該貫通孔に対して前後に開口する枠状の装飾部材(所謂センター役物)２６が嵌め込まれるようにして着脱自在に配設される。そして、前記裏ユニット１９の開口部１９ａから臨む前記図柄表示装置１３の表示部は、装飾部材２６における前後に開口する窓口２６ａを介して板部材１８(遊技盤１７)の前側に露出して、該図柄表示装置１３の表示部で展開される図柄変動演出を前側から視認し得るようになっている。また装飾部材２６の裏面には、板部材１８の貫通孔内に臨む位置において後方に向けて突出する係合部２６ｂが設けられ(図２３参照)、該係合部２６ｂを後述する第２支え部材８７に設けた被係合部９３に前側から係脱自在に係合することで、該装飾部材２６により第２支え部材８７が前側へ変位するのを規制するよう構成される。
【００２１】
前記装飾部材２６には、図２に示す如く、上縁部から左右両縁部に亘り、板部材１８の前面より前方に突出する円弧状の庇状部２６ｃが設けられており、前記遊技領域１８ａに打ち出されたパチンコ球を外周部の庇状部２６ｃで案内し得ると共に、該パチンコ球が装飾部材２６の窓口２６ａを横切って流下するのを該庇状部２６ｃで規制している。また装飾部材２６には、窓口２６ａの下側に、ステージ２７が配設されると共に、窓口２６ａの左側に、遊技領域１８ａに開口して該遊技領域１８ａを流下するパチンコ球を取込んでステージ２７に案内する球導入部２８が設けられ、該球導入部２８からステージ２７に通出されたパチンコ球は、ステージ２７上を左右に転動した後に、前記各入賞装置２３,２４,２５が配設されている遊技領域１８ａに排出される。
【００２２】
前記ステージ２７の後端縁には、左右方向の全長に亘って上側に向けて所定高さで立上がる透明壁２９が設けられ、ステージ２７上を転動するパチンコ球が図柄表示装置１３の表示部側に移動するのを該透明壁２９で防止するよう構成されている。なお、透明壁２９の上端縁には前方に向けて張出す張出部が形成されており、該張出部によって表示部側へのパチンコ球の移動を確実に防止し得るようになっている。
【００２３】
(ゲートについて)
前記板部材１８の前面には、図２に示す如く、前記装飾部材２６の左側に臨む遊技領域１８ａの横部分で前記球導入部２８より上方位置に、該遊技領域１８ａを流下するパチンコ球が通過可能なゲート３０が配設されている。ゲート３０には、該ゲート３０を通過するパチンコ球を検出した際に入球検知信号を出力するゲートセンサ(図示せず)が配設される。このゲートセンサは、制御装置(図示せず)に電気的に接続され、該制御装置は、ゲートセンサから入球検知信号が入力されたことを条件として、前記始動入賞装置２３の羽根部材２３ｂ,２３ｂを開放するか否かの抽選を行なうよう設定されている。
【００２４】
(裏ユニットについて)
前記裏ユニット１９は、図３〜図５に示すように、前方に開口する矩形箱状に形成された箱状本体３１と、該箱状本体３１の開口前端部に形成されて当該箱状本体３１の開口外側へ延出し、前記板部材１８の裏面に当接する取付部３２とから構成される。箱状本体３１は、前記板部材１８に対向する矩形板状に形成された対向面部３３と、該対向面部３３における上下左右の各縁部から前方に延出する画壁部(壁部)３４とから前方に開口するよう形成されて、各画壁部３４の前端部から箱状本体３１の開口外側へ向けて延出するよう前記取付部３２が形成されている。そして、取付部３２の前面を板部材１８の裏面に当接した状態で、取付部３２を板部材１８にネジ止めすることによって板部材１８と裏ユニット１９が固定される。
【００２５】
前記対向面部３３には、図４および図５に示す如く、上下および左右幅の大部分が開口する大型の前記開口部１９ａが形成されている。以下の説明において、対向面部３３における開口部１９ａに対する上下左右に位置する部分について、上対向面部３３ａ、下対向面部３３ｂ、左対向面部３３ｃ、右対向面部３３ｄと夫々指称し、該上下左右の対向面部３３ａ,３３ｂ,３３ｃ,３３ｄに対応する画壁部を、上画壁部３４ａ、下画壁部３４ｂ、左画壁部３４ｃ、右画壁部３４ｄと夫々指称するものとする。
【００２６】
前記板部材１８の裏側に裏ユニット１９を取付けた状態で、該裏ユニット１９の対向面部３３と板部材１８との間に所要の空間が画成され、裏ユニット１９の対向面部３３に設けられる前記可動演出装置４２が該空間に収容されるよう構成される。また、上下および右の各対向面部３３ａ,３３ｂ,３３ｄには、前面に複数のＬＥＤを実装した発光基板３９,４０が直接または別部材を介して配設されている(図８に下対向面部３３ｂに配設される発光基板３９,４０のみ図示)。前記装飾部材２６に光透過部が形成されると共に、裏ユニット１９には光透過性の装飾部品３５が装飾部材２６の窓口２６ａ内に位置するように配設され、装飾部材２６の光透過部または裏ユニット１９の装飾部品３５の裏側に各発光基板３９,４０が対向するように配置されている。そして、各発光基板３９,４０のＬＥＤを発光することで、前記図柄表示装置１３の表示部を取り囲む装飾部材２６の光透過部や裏ユニット１９の装飾部品３５を裏側から照らして発光演出を行ない得るよう構成される。なお、裏ユニット１９の上対向面部３３ａに配設された複数の図示されていない発光基板に接続する複数の配線は一つに束ねられ、この配線束(配線)３６は左対向面部３３ｃの前側を引き回された後に(図１７,図１８参照)、下対向面部３３ｂの裏側に配設された中継基板(図示せず)に接続されるようになっている。
【００２７】
前記裏ユニット１９の左対向面部３３ｃには、前記遊技盤１７に設けられた前記ゲート３０と対応する位置に、図５に示す如く、前方に延出する筒状のガイド壁３７が突設され、該ガイド壁３７により画成されて前後方向に貫通する通孔３７ａを介してゲート３０に対して裏ユニット１９の後方からゲートセンサが取付けられるよう構成される。またガイド壁３７の通孔３７ａは、ゲートセンサから導出する配線を裏ユニット１９の裏側に引き出す通路としても機能する。
【００２８】
(取付ベースについて)
前記裏ユニット１９の対向面部３３の前面には、図８に示すＬ状に形成された取付ベース３８が配設される。取付ベース３８は、下対向面部３３ｂに沿って左右方向に延在する横板部３８ａと、左対向面部３３ｃに沿って上下方向に延在する縦板部３８ｂとを備え、縦板部３８ｂには、前記ガイド壁３７の挿通を許容する切欠部３８ｃが形成されて、該取付ベース３８を対向面部３３に取付けた状態で、ガイド壁３７が切欠部３８ｃを介して縦板部３８ｂから前方に突出するよう構成される。
【００２９】
前記取付べース３８における横板部３８ａの前面には、図８に示す如く、前面に複数のＬＥＤを実装した複数(実施例では２つ)の下発光基板３９が配設されると共に、縦板部３８ｂの前面には、同じく前面に複数のＬＥＤを実装した左発光基板４０が配設される。また、横板部３８ａの前側には、複数の下発光基板３９,３９を前側から覆う光透過性の装飾カバー４１が配設されている。装飾カバー４１の一部は、前記装飾部材２６における前記透明壁２９の後側に臨んでおり、下発光基板３９のＬＥＤを発光することで、装飾カバー４１を裏側から照らして発光演出を行ない得ると共に、該発光演出は透明壁２９を介して前側から視認可能に構成される。
【００３０】
前記取付ベース３８における縦板部３８ｂの前側には、後述する第１支え部材７６が、その覆部７８で左発光基板４０を前側から覆う状態で配設される。第１支え部材７６は、光透過性の合成樹脂で形成され、左発光基板４０のＬＥＤを発光することで、第１支え部材７６の覆部７８を裏側から照らして発光演出を行ない得るよう構成されている。第１支え部材７６の覆部７８は、前記装飾部材２６における光透過部の後方に臨んでおり、該光透過部を介して覆部７８が発光演出される状態が前側から視認可能に構成される。なお、前記装飾カバー４１および第１支え部材７６の覆部７８には光拡散加工が施され、ＬＥＤによる発光演出効果を向上すると共に、後側に位置する発光基板３９,４０の前側からの視認を困難にして、見栄えの低下を防止するようになっている。
【００３１】
前記装飾カバー４１の右端部には、図１０に示す如く、可動演出装置４２の後述する可動部材４３を回動自在に枢支するための軸受部４１ａが前側に向けて突設されている。この軸受部４１ａは、筒状に形成されて、その中心通孔に後述する回転支軸５１が回転可能に挿通される。また装飾カバー４１の右端部には、前記軸受部４１ａの下側位置に、可動演出装置４２の主モータ５４(後述)を取付けるためのモータ取付部４１ｂが設けられると共に、該可動演出装置４２の従動歯車５５(後述)を取付けるための歯車取付部４１ｃが設けられている。なお、軸受部４１ａは、装飾カバー４１を取付けた取付ベース３８を裏ユニット１９に配設した状態で、該裏ユニット１９における開口部１９ａの右端に近接位置している。
【００３２】
(可動演出装置について)
前記裏ユニット１９の対向面部３３に配設される前記可動演出装置４２は、前記装飾カバー４１に回動可能に配設した可動部材４３と、該可動部材４３を動作する駆動機構(主駆動機構,副駆動機構)４４,４６と、可動部材４３の動作時に該可動部材４３を支持する一対の支え部材７６,８７とを基本的に備える。
【００３３】
前記可動部材４３は、図３に示す如く、裏ユニット１９における開口部１９ａの横幅寸法より長い長尺で大型の部材であって、実施例ではパチンコ機のモチーフに応じた刀を模した形状に形成されている。可動部材４３は、通常時には裏ユニット１９における開口部１９ａの開口下端縁に沿って左右方向に延在する姿勢となる第１位置(図３参照)に保持され、第１位置において可動部材４３の前側には前記ステージ２７の透明壁２９が位置するよう構成されて、該透明壁２９を介して可動部材４３の一部が前側から視認可能に構成される。そして、可動部材４３は、後述するように第１位置から第２位置(図６,図７参照)に移動することで、装飾部材２６の窓口２６ａ内において図柄表示装置１３における表示部の前側略中央を斜めに横切るように該可動部材４３が臨むよう構成される。なお、可動部材４３の後述する自由端部は、前記板部材１８または装飾部材２６の裏側を移動するよう構成されて、該自由端部は板部材１８または装飾部材２６で隠れるようになっている。また可動部材４３の枢支端部は、装飾部材２６の裏側に臨んで該装飾部材２６で隠れるよう構成される。
【００３４】
(可動部材について)
前記可動部材４３は、前記装飾カバー４１に回転可能に配設され、主駆動機構４４により揺動される主可動体(可動体)４５と、該主可動体４５に対して長手方向に移動可能に配設され、副駆動機構４６により主可動体４５に沿って長手方向に移動される副可動体４７とから基本的に構成される。
【００３５】
(主可動体について)
前記主可動体４５は、図８または図１０に示す如く、前記裏ユニット１９における開口部１９ａの左右方向の幅寸法より長尺に形成された本体４８を備え、該本体４８は、本体４８の長手方向の略中間から右側(一方側)に延在する基端側延在部４９と、左側(他方側)に延在する自由端側延在部５０とを連設して構成される。なお、自由端側延在部５０は、基端側延在部４９より上下方向の寸法が小さく設定されている。また、自由端側延在部５０の上面および下面には、前後方向の中央位置に長手方向に沿って延在する案内突条５０ａが夫々形成されており、該案内突条５０ａ,５０ａに沿って前記副可動体４７が移動するよう構成される。
【００３６】
図８または図１０に示す如く、前記主可動体４５の本体４８における基端側延在部４９の右端部下側(本体４８の長手方向の一端部下側)に、駆動機構取付部４９ａが垂設されている。また基端側延在部４９には、駆動機構取付部４９ａの上側に前後方向に延在する回転支軸５１が配設され、該回転支軸５１における基端側延在部４９から後方に延出する端部が、前記装飾カバー４１の軸受部４１ａに回転可能に支持される。すなわち、主可動体４５は、装飾カバー４１に対して本体４８の右端部に配設した回転支軸５１を中心として揺動可能に配設される。本体４８は、透明な合成樹脂を材質として形成されると共に、該本体４８を構成する基端側延在部４９および自由端側延在部５０は、何れも本体４８の長手方向と直交する縦断面において後側に開放するコ字状に形成されている。そして、本体４８(基端側延在部４９および自由端側延在部５０)の後面に、該本体４８の開口部を覆うように可動体用発光基板５２が配設されている。可動体用発光基板５２における本体４８内に臨む前面に、複数のＬＥＤが配設される。また、可動体用発光基板５２の前面と対向する本体４８の前面壁には光拡散加工が施されており、ＬＥＤの発光による発光演出効果の向上を図ると共に、前側から可動体用発光基板５２を視認困難にして、見栄えの低下を防止するようにしてある。
【００３７】
前記本体４８の基端側延在部４９には、図９に示す如く、該基端側延在部４９より長手方向の寸法が短尺な装飾体５３が、左側(自由端側延在部５０から離間する側)に偏った位置に配設される。この装飾体５３は、図１０に示す如く、基端側延在部４９の短手方向を覆い得る寸法に設定された前装飾部５３ａおよび後装飾部５３ｂとから構成され、両装飾部５３ａ,５３ｂで基端側延在部４９を前後から挟んだ状態で取付けられる。また装飾体５３は、全体が非光透過性に構成されると共に、前装飾部５３ａの一部に光透過部が設けられ、前記可動体用発光基板５２における前装飾部５３ａの後側に位置するＬＥＤからの光は、光透過部から前側に照射されるよう構成される。なお、実施例の主可動体４５は、本体４８(基端側延在部４９)が刃の刀身を模し、装飾体５３は刃の鞘を模したものとなっている。
【００３８】
(主駆動機構について)
前記主可動体４５を揺動する主駆動機構４４は、図８または図１０に示す如く、主モータ５４と、該主モータ５４により回転される主駆動歯車５４ａおよび従動歯車５５と、該従動歯車５５に噛合する歯車部材５６とから基本的に構成される。主モータ５４は、前記装飾カバー４１のモータ取付部４１ｂに後側から取付けられ、該モータ取付部４１ｂに穿設した通孔を介して前方に突出する出力軸に主駆動歯車５４ａが配設される。また図５に示す如く、装飾カバー４１の前記歯車取付部４１ｃの前面に従動歯車５５が回転可能に支持される。従動歯車５５は、大径歯車部５５ａと小径歯車部５５ｂとを一体に形成した歯車であって、該大径歯車部５５ａに主駆動歯車５４ａが噛合している。前記主可動体４５における駆動機構取付部４９ａの裏面に、前記歯車部材５６が配設固定される(図１２参照)。歯車部材５６の外周縁には、前記回転支軸５１を中心とする所定角度範囲で円弧状にギヤ部５６ａが形成され、該ギヤ部５６ａが前記従動歯車５５の小径歯車部５５ｂに噛合している。すなわち、前記主モータ５４を駆動して主駆動歯車５４ａおよび従動歯車５５を正転および逆転方向に回転することで、歯車部材５６が固定された主可動体４５は回転支軸５１を中心として所要角度範囲で揺動する。
【００３９】
前記駆動機構取付部４９ａに、被検出部としての第１検出片５７が設けられている。また、前記裏ユニット１９の下対向面部３３ｂに、発光素子と受光素子とを備えた光学式センサからなる第１位置検出センサ５８が配設される(図３参照)。第１検出片５７は、第１位置検出センサ５８の発光素子と受光素子との間に臨み得る位置に設けられており、前記主可動体４５の揺動に伴って該発光素子と受光素子との間を第１検出片５７が移動および臨み得るようになっている。そして、第１検出片５７を第１位置検出センサ５８で検出した際に(図１２参照)、主可動体４５(可動部材４３)が第１位置に位置するよう第１検出片５７の配設位置が設定され、その検出信号が制御装置に入力されるようになっている。なお、第１位置検出センサ５８は、光学式センサに限らず、磁気センサやマイクロスイッチ、その他従来公知のセンサを可動部材側に設けられる被検出部に応じて採用し得る。
【００４０】
(副可動体について)
前記副可動体４７は、図１０に示す如く、前記主可動体４５の本体４８より長手方向の寸法が短尺に形成された前可動部４７ａと後可動部４７ｂとを備え、本体４８を前後から挟むようにして両可動部４７ａ,４７ｂを連結することで、副可動体４７は、本体４８における前記装飾体５３から延出する部分を覆うように配設される。前可動部４７ａと後可動部４７ｂとの間には、本体４８における自由端側延在部５０を挟む上下位置に、該延在部５０に突設した案内突条５０ａ,５０ａを挟む前後両側の上面または下面に当接して転動可能な案内ローラ５９,５９が、副可動体４７の長手方向に離間する２箇所に配設され、副可動体４７は、複数の案内ローラ５９によって主可動体４５の本体４８に対して長手方向に沿って待機位置と作動位置との間をスムーズに移動し得るよう構成される。
【００４１】
前記副可動体４７は、本体４８における装飾体５３から露出する部分の長さ寸法より短尺な長さ寸法に設定され、副可動体４７の右端部が装飾体５３の左端部に当接する待機位置では本体４８における基端側延在部４９の全体を覆って隠し(図３,図６参照)、副可動体４７が装飾体５３から離間する左方に移動した作動位置では基端側延在部４９を露出するよう構成される(図７参照)。なお、副可動体４７の待機位置および作動位置の何れの位置においても、主可動体４５の自由端側延在部５０は装飾部材２６の窓口２６ａを介して前側から視認できないように、装飾部材２６の窓口２６ａや可動部材４３の各寸法等が設定されている。実施例では、副可動体４７は刀の柄を模しており、該副可動体４７を、鞘を模した装飾体５３から離間移動することで、刀身を模した本体４８(基端側延在部４９)が現われる演出が行なわれるようになっている。また、副可動体４７は、全体が非光透過性に構成されると共に、前可動部４７ａの一部に光透過部が設けられ、前記可動体用発光基板５２における前可動部４７ａの後側に位置するＬＥＤからの光は、光透過部から前側に照射されるよう構成される。
【００４２】
前記装飾体５３における後装飾部５３ｂの裏面には、図１１に示す如く、長手方向に離間して後方に突出する複数の固定用ボス５３ｃが設けられ、これら固定用ボス５３ｃを介して支持部材６０が後装飾部５３ｂの裏面から離間して配設される。そして、副可動体４７における後可動部４７ｂに一端部が固定されて該後可動部４７ｂから右方に延出する作動部材６１が、後装飾部５３ｂと支持部材６０との間に摺動自在に支持されている。作動部材６１には、図８、図１０および図１１に示す如く、固定用ボス５３ｃが挿通される第１長孔６１ａと、前記装飾カバー４１の軸受部４１ａが挿通される第２長孔６１ｂとが形成され、各長孔６１ａ,６１ｂに挿通された固定用ボス５３ｃおよび軸受部４１ａに沿って作動部材６１は装飾体５３(主可動体４５)の長手方向に移動するよう構成される。
【００４３】
(副駆動機構について)
前記副可動体４７を作動する副駆動機構４６は、副モータ６２、該副モータ６２により回転される副駆動歯車６２ａと、該副駆動歯車６２ａに噛合するラック部６１ｃとから基本的に構成される。副モータ６２は、前記駆動機構取付部４９ａに前側から取付けられ、該取付部４９ａに穿設した通孔を介して後方に突出する出力軸に副駆動歯車６２ａが配設される。前記作動部材６１の下端には、長手方向に延在するラック部６１ｃが設けられ、該ラック部６１ｃの歯部が副駆動歯車６２ａに噛合している(図１２参照)。すなわち、前記副モータ６２を駆動して副駆動歯車６２ａを正転および逆転方向に回転することで、ラック部６１ｃを設けた作動部材６１に固定された副可動体４７は、主可動体４５の長手方向に所定範囲で直線的に往復移動する。
【００４４】
図１２に示す如く、前記作動部材６１に、被検出部としての第２検出片６３が設けられている。また、前記駆動機構取付部４９ａの裏面に、発光素子と受光素子とを備えた光学式センサからなる第２位置検出センサ６４が配設される。第２検出片６３は、第２位置検出センサ６４の発光素子と受光素子との間に臨み得る位置に設けられており、前記副可動体４７の移動に伴って該発光素子と受光素子との間を第２検出片６３が移動および臨み得るようになっている。そして、第２検出片６３を第２位置検出センサ６４で検出した際に、副可動体４７が待機位置に位置するよう第２検出片６３の配設位置が設定され、その検出信号が制御装置に入力されるようになっている。なお、第２位置検出センサ６４は、光学式センサに限らず、磁気センサやマイクロスイッチ、その他従来公知のセンサを副可動体側に設けられる被検出部に応じて採用し得る。
【００４５】
前記駆動機構取付部４９ａの前側には、前面に複数のＬＥＤが実装された前発光基板６５が配設されると共に、該前発光基板６５を前側から覆うようにして光透過性の基板カバー６６が駆動機構取付部４９ａに取付けられている(図９参照)。そして、前発光基板６５のＬＥＤを発光することで、基板カバー６６を裏側から照らして発光演出を行ない得るよう構成される。この基板カバー６６は、前記装飾部材２６における光透過部の後方に臨んでおり、該光透過部を介して基板カバー６６が発光演出される状態が前側から視認可能に構成される。また、基板カバー６６には光拡散加工が施されており、ＬＥＤの発光により発光演出効果の向上を図ると共に、前側から前発光基板６５を視認困難にして、見栄えの低下を防止するようにしてある。
【００４６】
(ローラの支持部について)
前記主可動体４５(可動部材４３)の自由端部である自由端側延在部５０の先端には、該主可動体４５(可動部材４３)の自由端部(揺動中心となる基端部とは反対の端部)の安定した移動を図るためのローラ６７を自由回転可能に配設した支持部６８が設けられ、該支持部６８が、後述する第１支え部材７６と第２支え部材８７との間に右方から挿入されている。ローラ６７は、図１３に示す如く、該ローラ６７の回転軸中心から軸方向の両側に突出する軸部６７ａ,６７ａを有し、両軸部６７ａ,６７ａが支持部６８に自由回転可能に支持されるようになっている。
【００４７】
前記支持部６８は、図９に示す如く、主可動体４５における自由端側延在部５０の先端から、該延在部５０の延在方向に沿って延出する受部６９と、該受部６９に着脱自在に取付けられて、受部６９との間にローラ６７を自由回転可能に支持する取付部材７０とから基本的に構成される。受部６９は、図１３または図１４に示す如く、自由端側延在部５０の先端における前後方向の後側に偏倚した位置から外方に延出して、両支え部材７６,８７の間に支持部６８が挿入された際に第１支え部材７６側に臨む平板状に形成され、該受部６９の下端部(自由端側延在部５０の移動方向の一方側)は、自由端側延在部５０の下端から所定長さだけ延出している。また、受部６９における自由端側延在部５０の先端面(一面)５０ｂに対応する前面位置に、自由端側延在部５０の長手方向(自由端側延在部５０の移動方向と直交する方向)に離間してローラ６７の軸部６７ａ,６７ａを自由回転可能に支持する軸受７１,７１が突設されている。各軸受７１は、図１４に示す側面視において前方に開口する凹字状に形成されて、その凹部７１ａにローラ６７の軸部６７ａが自由回転可能に収容されるよう構成される。すなわち、受部６９(支持部６８)に対してローラ６７は、軸部６７ａ,６７ａ(ローラ６７の回転軸線)が主可動体４５(可動部材４３)の長手方向に沿って延在する姿勢で支持される。なお、凹部７１ａの深さ寸法は、図１４に示す如く、軸部６７ａの直径より僅かに長く設定され、該凹部７１ａに収容された軸部６７ａの自由回転を許容するようになっている。
【００４８】
前記受部６９には、図１３に示す如く、前記一対の軸受７１,７１の間に、ローラ６７の円周面を後側(第１支え部材７６側)に突出可能な第１開口部(開口部)６９ａが形成され、両軸受７１,７１に軸部６７ａ,６７ａを介して自由回転可能に支持されたローラ６７の円周面は、第１開口部６９ａから所定量だけ後側(第１支え部材７６側)に突出し、該円周面が第１支え部材７６の後述する案内面７７ｂに当接可能に構成される(図２２参照)。第１開口部６９ａにおけるローラ６７の軸方向の開口幅は、該ローラ６７の軸方向の厚み寸法より大きく設定され、ローラ６７の軸方向への移動を所定範囲で許容し得るよう構成される。また、第１開口部６９ａにおけるローラ６７の直径方向の開口幅は、該ローラ６７の直径より大きく設定され、ローラ６７の円周面が、第１開口部６９ａにおけるローラ６７の直径方向の開口縁に接触しないよう構成される。また、受部６９における自由端側延在部５０の先端面５０ｂから下方に延出する突出部の前面に、前方に向けて突出する円柱状のボス部(凸部)７２が設けられ、該ボス部７２にはネジ孔７２ａが螺設されている(図１４参照)。
【００４９】
前記受部６９の前側に取付けられる取付部材７０は、後述する第１および第２支え部材７６,８７の間に支持部６８が挿入された際に第２支え部材８７側に臨んでいる。この取付部材７０は、図１５に示す如く、基本的には矩形の平板状に形成されたものであって、一方の長辺における取付部材７０の長手方向の一端部側に偏倚した位置に、該取付部材７０の短手方向に突出する第２規制部としての規制部７３が設けられて、全体がＬ字形に形成されている。そして、取付部材７０における規制部７３が形成される取付部材７０の長手方向の一端部側の裏面に、図１５(ｃ),(ｄ)に示す如く、後方に向けて突出する円筒状の筒部(凹部)７４が設けられる。また、取付部材７０における筒部７４と対応する位置には、該筒部７４の内径より小径の通孔７０ａが形成されている。そして、前記受部６９におけるボス部７２の先端を取付部材７０の筒部７４に回動可能に嵌挿した状態で、通孔７０ａに挿通したネジ９６をボス部７２のネジ孔７２ａに螺挿することで、受部６９に対して取付部材７０がネジ止めされる。
【００５０】
前記取付部材７０の裏面、すなわち受部６９の前面と対向する面は平坦に形成され、受部６９に取付部材７０をネジ止めした際に該取付部材７０の裏面が前記受部６９の各軸受７１の前端に当接して凹部７１ａの開口を塞ぎ、軸受７１,７１の凹部７１ａ,７１ａに軸部６７ａ,６７ａが収容された状態でローラ６７を自由回転可能に支持するよう構成される。また取付部材７０には、受部６９に形成した第１開口部６９ａと対応する位置に、該第１開口部６９ａと略同一形状の第２開口部(開口部)７０ｂが形成され、該第２開口部７０ｂからローラ６７の円周面が前側(第２支え部材８７側)に突出可能に構成される。
【００５１】
前記受部６９に対して取付部材７０は、前記各開口部６９ａ,７０ｂから離間した受部６９および取付部材７０の長手方向の一方(支持部６８の移動方向の一方側)に偏倚した部位(ボス部７２,筒部７４)の一箇所で取付けられており、受部６９に対して取付部材７０は、ボス部７２(筒部７４)を中心として平行な姿勢のままローラ６７の回転軸線に沿う平面内を回動可動になっている(図１６参照)。なお、受部６９と取付部材７０とがボス部７２および筒部７４を介して取付けられる取付部分は、前記自由端側延在部５０から下方に突出しており、以後の説明において支持部６８における長手方向の一端部である自由端側延在部５０から下方に突出する側の端部(取付部分が設けられる側の端部)を支持部６８の突出端部６８ａと指称することもある。
【００５２】
前記取付部材７０には、図１６に示す如く、前記自由端側延在部５０の先端面５０ｂに対向する側面(一方の長辺側であって規制部７３が設けられていない部位)において、前記第２開口部７０ｂの長手方向の略中央に対応する位置に、自由端側延在部５０の先端面５０ｂに向けて突出する第１規制部としての突部７５が設けられ、該突部７５が先端面５０ｂに当接可能に構成される。そして、突部７５が自由端側延在部５０の先端面５０ｂに当接した状態で、受部６９の第１開口部６９ａと取付部材７０の第２開口部７０ｂとが前後方向に整列し、受部６９と取付部材７０とで支持された前記ローラ６７が、両開口部６９ａ,７０ｂ内に適正な姿勢で臨むよう構成される。なお、突部７５の突出端は弧状に形成され、先端面５０ｂとの接触による突部７５の摩耗を抑制し得るようになっている。
【００５３】
前記取付部材７０の規制部７３は、前記受部６９に取付部材７０を取付けた状態で、自由端側延在部５０の下端より下方に位置して、該規制部７３は、前記突部７５が自由端側延在部５０の先端面５０ｂから離間する方向へ取付部材７０が回動したときに、自由端側延在部５０における先端面５０ｂと交差する下面(他面)５０ｃに当接可能に構成される。突部７５が先端面５０ｂに当接した状態で、規制部７３と下面５０ｃとの間には所要の隙間があり、取付部材７０の所要範囲での回動が許容されるようになっている。実施例では、突部７５が先端面５０ｂに当接した状態での規制部７３と下面５０ｃとの隙間寸法は、規制部７３が下面５０ｃに当接するまで取付部材７０が回動した状態で、前記軸受７１,７１で支持されているローラ６７における軸方向の両側面に対して第２開口部７０ｂの内縁(取付部材７０)が接触しない値に設定される。すなわち、図１６に示す如く、受部６９に対して取付部材７０が突部７５を先端面５０ｂに当接した状態、および規制部７３を下面５０ｃに当接した状態の何れにおいても、前記第１開口部６９ａと第２開口部７０ｂとの前後方向に整列している開口領域の寸法が、ローラ６７におけるローラ本体(軸部６７ａ,６７ａを除く部分)の図１６で表わされる投影形状の外形寸法より大きくなるよう設定される。
【００５４】
前記受部６９に取付部材７０を取付けた状態で、該取付部材７０の前面は、前記自由端側延在部５０の前面と略同一位置に臨むよう構成される。ちなみに、受部６９の裏面は、自由端側延在部５０の裏面と同一位置に臨んでおり、前記支持部６８の前後に突出するローラ６７は、自由端側延在部５０に対しても前後方向に突出している。またローラ６７の直径は、後述する第１支え部材７６の案内面７７ｂにローラ６７の円周面が当接している状態で該ローラ６７が第２支え部材８７から離間する寸法に設定される(図２２参照)。そして、前記支持部６８、すなわち主可動体４５の自由端側延在部５０が第１支え部材７６から離間する方向に変位した際に、ローラ６７の円周面が第２支え部材８７に転動可能に当接すると共に、該ローラ６７の円周面が第１支え部材７６から離間するよう構成される。
【００５５】
(第１支え部材について)
前記裏ユニット１９に配設された前記取付ベース３８における縦板部３８ｂには、第１支え部材７６が前側から着脱自在に配設される。第１支え部材７６は、全体が光透過性を有する合成樹脂材により形成された部材であって、図８、図１８、図１９、図２０等に示すように、裏ユニット１９の左対向面部３３ｃと平行な板面を有する案内盤部７７と、該案内盤部７７における右端縁(開口部１９ａ側の端縁)から側方に延出して、前記縦板部３８ｂに配設された左発光基板４０の前側を覆う覆部７８とから基本的に構成される。なお、覆部７８は、案内盤部７７における前面を構成する板面より後側から側方に延出して、前記可動部材４３における主可動体４５や副可動体４７と干渉しないようになっている。
【００５６】
前記案内盤部７７の右側面(可動部材４３の揺動支点側)は、図１８に示す如く、可動部材４３の回転支軸５１を中心とする円弧状に湾曲形成された円弧状端面７７ａとされる。また案内盤部７７の前面には、円弧状端面７７ａから左方(可動部材４３の揺動支点から離間する側)に離間して、該円弧状端面７７ａと同様に、回転支軸５１を中心とする円弧状に延在するガイドレール７９が突設されている。すなわち、案内盤部７７におけるガイドレール７９より左側に位置する前面は、可動部材４３における揺動支点から離間する自由端(主可動体４５の自由端)の移動方向に沿って延在し、該前面が前記ローラ６７が転動する案内面７７ｂとして機能するよう構成される。また案内盤部７７には、前記裏ユニット１９に設けたガイド壁３７の前方への挿通を許容する切欠部７７ｃが、前記取付ベース３８の縦板部３８ｂの切欠部３８ｃと対応して形成されており、当該第１支え部材７６を縦板部３８ｂの前面に取付けた状態で、ガイド壁３７が切欠部７７ｃを介して前方に突出するよう構成される。
【００５７】
前記案内盤部７７におけるガイドレール７９の左側(可動部材４３から離間する側)には、図１８または図２０に示す如く、下端部から前記切欠部７７ｃまでの間に、ガイドレール７９と略平行に延在する区画壁８０が突設されている。この区画壁８０はガイドレール７９より前方に突出し、後述する第２支え部材８７の裏面を区画壁８０の前端に当接して取付けることで、両支え部材７６,８７の間に、右方(可動部材４３側)に開放して前記主可動体４５の支持部６８(ローラ６７)が移動する領域となる案内路８１が画成されるようになっている(図１９参照)。そして、支持部６８の移動領域と、前記配線束３６が引き回される後述する引き回し経路９２とを区画壁８０によって区画するよう構成される(図２２参照)。
【００５８】
前記区画壁８０の下端には、図１８、図１９、図２０に示す如く、右方に突出する第１位置決め部(位置決め部)８２が設けられ、案内路８１に臨む主可動体４５の支持部６８における突出端部６８ａが、該第１位置決め部８２に当接して移動規制されるよう構成される。更に、案内盤部７７における前面上端部には、区画壁８０と同一長さで前方に突出する第２位置決め部８３が設けられ、案内路８１に臨む主可動体４５の支持部６８における上端が、該第２位置決め部８３に当接して移動規制されるようになっている。すなわち、前記可動部材４３の主可動体４５は、上下の位置決め部８２,８３の範囲内で揺動可能に構成される。
【００５９】
前記案内盤部７７には、前記ガイドレール７９の左側において、該ガイドレール７９の延在方向に略等間隔で、ネジ孔が形成された第１取付ボス８４が突設される。実施例では、第２位置決め部８３と切欠部７７ｃとの間の案内盤部７７に単独で１つの第１取付ボス８４が設けられると共に、切欠部７７ｃと第１位置決め部８２との間の案内盤部７７に、前記区画壁８０と一体で複数の第１取付ボス８４が設けられている(図１８,図２０参照)。また案内盤部７７には、図１８または図２０に示す如く、該案内盤部７７の左端縁から右方に離間した位置に、規制突部としての第２取付ボス８５が上下方向に離間して複数突設されている。第２取付ボス８５は、第１取付ボス８４と同一長さだけ前方に突出すると共にネジ孔が形成されている。なお、案内盤部７７の上端縁と最上部に位置する第２取付ボス８５との間に、配線束３６を結束具(図示せず)で結束する結束部８６が設けられている。
【００６０】
(第２支え部材について)
前記第１支え部材７６の前側には、該第１支え部材７６とによって前記主可動体４５における自由端部側の前後方向への大きな変位を抑制する第２支え部材８７が着脱自在に配設されている。第２支え部材８７は、光透過性を有する合成樹脂材により形成された部材であって、図１７,図１９または図２０に示す如く、平板状の板状本体８８の外周縁に、前方に向けて突出する外周壁８９が形成されて剛性が高められている。なお、実施例では板状本体８８の下端部側の所定範囲には外周壁８９が設けられていない。
【００６１】
前記板状本体８８における裏面、すなわち前記第１支え部材７６の案内盤部７７に対向する面は平坦に形成されると共に、該板状本体８８には、図２０に示す如く、案内盤部７７に設けた第１取付ボス８４および第２取付ボス８５の夫々に対応する位置に通孔８８ａが穿設されている。そして、板状本体８８の裏面を、第１および第２取付ボス８４,８５の前端に当接した状態で、各通孔８８ａに前側から挿通したネジ９５(図１７参照)を対応する取付ボス８４,８５のネジ孔に螺挿することで、第１支え部材７６に対して第２支え部材８７が取付ボス８４,８５の突出長さだけ離間して平行に取付けられる。実施例では、第１取付ボス８４および該第１取付ボス８４に螺挿されるネジ９５とから両支え部材７６,８７の固定手段が構成される。
【００６２】
前記第２支え部材８７の右側面(板状本体８８の右側面および該板状本体８８の右側縁に沿って設けられる外周壁８９の右側面)は、図１９または図２０に示す如く、第１支え部材７６における案内盤部７７の円弧状端面７７ａと平行な円弧状に湾曲形成されて、前後方向において整列するよう構成される。そして、第２支え部材８７の板状本体８８における第１支え部材７６の前記案内面７７ｂと対向する裏面は、可動部材４３における揺動支点から離間する自由端(主可動体４５の自由端)の移動方向に沿って平行に延在し、該案内面７７ｂに沿って転動する前記ローラ６７の前方への大きな変位を規制するべく機能する。実施例では、第１支え部材７６の案内面７７ｂと第２支え部材８７の裏面との離間寸法は、前記ローラ６７の直径より大きく、かつ該ローラ６７の円周面が第２支え部材８７の裏面に当接した状態で、可動部材４３が前記装飾部材２６や透明壁２９に接触することがない値に設定される。なお、板状本体８８の裏面には、所定位置の通孔８８ａに対応する位置に、筒状の位置決め突部９０が設けられ、該位置決め突部９０に第１支え部材７６における対応する第１または第２取付ボス８４,８５の前端を嵌挿することで、第１支え部材７６に対して第２支え部材８７が位置決めされるようになっている(図２１または図２２参照)。
【００６３】
前記板状本体８８の左側面(可動部材４３から離間する側の面)には、図１７、図１９、図２０等に示す如く、上下方向に離間する複数箇所に外側方(左方)に延出する配線押さえ部９１が設けられている。配線押さえ部９１は、図２２に示す如く、第２支え部材８７を第１支え部材７６に取付けた状態で、第１支え部材７６における案内盤部７７の前面から離間し、該案内盤部７７の前面側を引き回される前記配線束３６を押さえて案内盤部７７の前面から浮き上がるのを防止するべく機能する。また配線押さえ部９１は、図２４に示す如く、第２支え部材８７を第１支え部材７６に取付けた状態で延出端部が前記裏ユニット１９の左画壁部(壁部)３４ｃに近接位置している。そして、第１支え部材７６(案内盤部７７)、配線押さえ部９１および左画壁部３４ｃにより、前記配線束３６の引き回し経路９２が画成され、該経路９２内に配線束３６が上下方向に引き回されるようになっている(図１７参照)。裏ユニット１９の左画壁部３４ｃと配線押さえ部９１との離間間隔は、配線束３６が通過できない値に設定され、引き回し経路９２を引き回されている配線束３６が第２支え部材８７より前側に変位するのを防止するよう構成される。
【００６４】
前記第１支え部材７６に設けられた前記第２取付ボス８５,８５は、図１８または図２２に示す如く、前記引き回し経路９２の右方(裏ユニット１９の左画壁部３４ｃから離間する側)に位置し、該第２取付ボス８５が、引き回し経路９２を引き回されている配線束３６の前記ローラ６７の移動領域側への変位を規制する規制突部として機能するよう構成される。
【００６５】
前記第２支え部材８７における右端上部に、前記装飾部材２６に設けた前記係合部２６ｂが係脱自在に係合する被係合部９３が設けられている。この被係合部９３は、図２３に示す如く、円柱状に形成されて後方に向けて突出する係合部２６ｂの挿通を許容する係合孔９３ａが形成されたものであって、該係合孔９３ａに係合部２６ｂが前側から挿通される。また装飾部材２６の係合部２６ｂには、突出端部から離間した根元部分の外周に、径方向に突出する複数のリブ２６ｄが周方向に離間して複数設けられており、該リブ２６ｄの形成位置における外径寸法は係合孔９３ａより大きく設定される。すなわち、係合部２６ｂの突出端部を係合孔９３ａに挿通した際にはリブ２６ｄが係合孔９３ａの開口縁部(被係合部９３に当接して位置規制し、これによって第２支え部材８７の前方への変位を防止するようよう構成される。
【００６６】
なお、第２支え部材８７の板状本体８８には、前記裏ユニット１９に設けたガイド壁３７の前側に整合して前方に延出する案内壁９４が設けられ(図１７,図２０参照)、該案内壁９４内に画成された前後方向に貫通する通孔９４ａが、ガイド壁３７により画成される通孔３７ａと連通している。すなわち、案内壁９４の通孔９４ａが、ガイド壁３７の通孔３７ａと共に、前記ゲート３０に対するゲートセンサの取付けに供されると共に、ゲートセンサから導出する配線を裏ユニット１９の裏側に引き出す通路として機能する。なお、裏ユニット１９のガイド壁３７における左端面は、該裏ユニット１９の左画壁部３４ｃから離間し、該ガイド壁３７は、引き回し経路９２を引き回されている配線束３６が、ローラ６７の移動領域側へ変位するのを規制する部材としても機能するようになっている。
【００６７】
〔実施例の作用〕
次に、前述した実施例に係るパチンコ機の作用につき説明する。
【００６８】
前記遊技領域１８ａに打ち出されたパチンコ球は、前記装飾部材２６の外周囲を流下し、該パチンコ球が前記球導入部２８に通入すると、該パチンコ球は前記ステージ２７に通出され、該ステージ２７を左右に転動した後に遊技領域１８ａに排出され、このパチンコ球は始動入賞装置２３や普通入賞装置２５等に入賞可能となる。そして、始動入賞装置２３にパチンコ球が入賞すると、前記図柄表示装置１３の図柄が変動開始され、所要の図柄組合わせゲームが展開される。図柄表示装置１３で展開される図柄変動ゲームの結果、図柄表示装置１３に所定の図柄組合わせで図柄が停止表示されたときに大当りが発生する。そして、大当りが発生すると、図柄表示装置１３に表示された図柄組み合わせに応じて、前記遊技盤１７の下方に設けられた特別入賞装置２４の入賞口２４ａが開放され、多数の賞球の獲得が可能となる。
【００６９】
前記装飾部材２６の横部分の遊技領域１８ａを流下するパチンコ球が前記ゲート３０を通過すると、前記制御装置は、ゲートセンサから入球検知信号が入力されたことを条件として、前記始動入賞装置２３の羽根部材２３ｂ,２３ｂを開放するか否かの抽選を行なう。そして、抽選の結果、当りとなった場合は、前記始動入賞装置２３の羽根部材２３ｂ,２３ｂが開放されて、下側の始動入賞口２３ａへの入賞確率が高まる。
【００７０】
前記図柄表示装置１３で展開される図柄変動ゲームの演出に応じて、前記可動演出装置４２が作動制御されて、各可動体４５,４７が作動されて動的な演出により遊技の興趣が高められる。また、遊技盤１７に配設されている各種発光基板３９,４０,５２,６５のＬＥＤが、図柄変動ゲームの演出に応じて発光制御されて、発光による演出により遊技の興趣が向上される。
【００７１】
前記可動部材４３は、図３に示す第１位置においては、前記裏ユニット１９における開口部１９ａの開口下端縁に沿って左右方向に水平に延在し、この状態で該可動部材４３の一部は、前記装飾部材２６における窓口２６ａ内の下部に設けた前記透明壁２９の後側に臨んでいる。このとき、可動部材４３は、前記装飾カバー４１における一部の前記下発光基板３９を覆っている部位の前側に臨んで、該下発光基板３９のＬＥＤによる発光演出が前側から視認不能になっている。しかしながら、可動部材４３の前面を構成する前記装飾体５３の前装飾部５３ａおよび前記副可動体４７の前可動部４７ａには光透過部が夫々設けられているから、前記可動体用発光基板５２のＬＥＤからの光は光透過部を介して透明壁２９に照射される。すなわち、可動部材４３の第１位置において、該可動部材４３に設けた可動体用発光基板５２のＬＥＤによる発光演出が前側から視認でき、該可動部材４３により装飾カバー４１における下発光基板３９の配設部位に対応する部位が隠れることによる発光演出効果の低下は防止される。
【００７２】
前記主駆動機構４４における主モータ５４の駆動により主駆動歯車５４ａおよび従動歯車５５が所定方向に回転することで、該従動歯車５５に噛合する前記歯車部材５６が固定された可動部材４３(主可動体４５)は、前記回転支軸５１を中心として斜め上方に向けて移動する。図６に示すように可動部材４３が第２位置に至ると、該可動部材４３は、前記装飾部材２６における窓口２６ａの略中央を斜めに横切るように位置し、遊技者に対してインパクトを与えることができ、遊技の興趣を高め得る。また、可動部材４３が第２位置に移動することで、前記下発光基板３９のＬＥＤからの光は前記装飾カバー４１を介して透明壁２９に照射されるようになり、遊技者が注目する前記ステージ２７の周囲を発光演出することができる。この状態で、前記副駆動機構４６の副モータ６２の駆動により副駆動歯車６２ａが所定方向に回転することで、該副駆動歯車６２ａに噛合する前記ラック部６１ｃを設けた作動部材６１に固定された副可動体４７は、主可動体４５に設けた装飾体５３から離間する方向に直線的に移動する。すなわち、副可動体４７が装飾体５３から離間移動することで、図７に示す如く、主可動体４５における基端側延在部４９が露出し、前記可動体用発光基板５２のＬＥＤによる発光演出を装飾部材２６の窓口２６ａ略中央で行なうことができ、演出効果を向上し得る。なお、前記主モータ５４および副モータ６２は、前記第１位置検出センサ５８による第１検出片５７の検出信号、および第２位置検出センサ６４による第２検出片６３の検出信号に基づいて回転制御されて、主可動体４５を第１位置と第２位置との間で移動すると共に、副可動体４７を待機位置と作動位置との間で移動する。
【００７３】
前記可動部材４３において主可動体４５の自由端部には、前記支持部６８を介してローラ６７が自由回転可能に支持されており、該支持部６８は、図２２に示す如く、前記裏ユニット１９に配設した第１支え部材７６と第２支え部材８７とで画成される案内路８１に挿入されている。また、支持部６８における受部６９の第１開口部６９ａから突出するローラ６７の円周面が、第１支え部材７６の案内面７７ｂに対して転動可能な状態で当接している。従って、可動部材４３が第１位置と第２位置との間を移動する際には、ローラ６７が案内面７７ｂに沿って転動することで、長尺な可動部材４３の自由端部側は安定して移動する。また、第１支え部材７６に対してローラ６７を挟んで配設される第２支え部材８７は、第１支え部材７６の案内面７７ｂに当接しているローラ６７からは離間しているから(図２２参照)、ローラ６７の転動を阻害することはなく、ローラ６７の円滑な転動によって可動部材４３の自由端部は安定かつスムーズに移動する。
【００７４】
前記可動部材４３は、長尺であるために長手方向の一端部(基端部)において前記回転支軸５１で回転可能に支持される部位から長手方向の他端部(自由端部)が大きく離間しており、パチンコ機１０の遊技中に発生する振動等によって該可動部材４３が前後方向に変位する恐れがある。しかしながら実施例のパチンコ機１０では、可動部材４３(主可動体４５)が第１支え部材７６から離間する方向(前方)へ変位した際には第２支え部材８７に、前記支持部６８における取付部材７０の第２開口部７０ｂから突出するローラ６７の円周面が転動可能に当接し、該可動部材４３の大きな変位を抑制することができる。すなわち、可動部材４３の大きな変位を抑制することができ、該可動部材４３の自由端部(支持部６８)が両支え部材７６,８７で画成される案内路８１から外れることはなく、可動部材４３の動作に支障を来たす事態の発生を防止し得る。また、実施例のように主可動体４５に対して更に副可動体４７を移動可能に配設した可動部材４３では、該副可動体４７の移動時にも可動部材４３が振動する恐れがあるが、この場合も前述したようにローラ６７と両支え部材７６,８７とによって可動部材４３の自由端部側の変位を抑制することができる。
【００７５】
ここで、前記可動部材４３は、パチンコ機１０に発生する振動等によって前後方向のみでなく、該可動部材４３の移動方向に変位する場合もある。この場合において、ローラ６７が第２支え部材８７に当接した状態では、該ローラ６７は第１支え部材７６の案内面７７ｂからは離間するから、ローラ６７が第２支え部材８７に当接した状態で可動部材４３が移動方向に変位した際にはローラ６７が転動することで摺動抵抗が加わるのを防止することができ、ローラ６７や支持部６８に大きな負荷が加わるのを抑制して損傷等の発生を防止し得る。なお、可動演出装置４２等の各種部品が組付けられた遊技盤１７を単体で梱包して工場から遊技店に運搬したり、該遊技盤１７が中枠１２に組付けられたパチンコ機１０自体を梱包して工場から遊技店に運搬する等に際しては、遊技盤１７は姿勢が一定に保持されるわけではないため、運搬時の振動によって可動部材４３が変位する方向は定まっていない。このように可動部材４３が変位する方向が定まっていない条件においても、該可動部材４３の支持部６８が両支え部材７６,８７で画成される案内路８１から外れたり損傷するのを防止することができる。
【００７６】
前記第１支え部材７６に対して第２支え部材８７は、前述したように第１支え部材７６に突設した第１取付ボス８４、第２取付ボス８５および区画壁８０の前端(突出端)を第２支え部材７６の裏面に当接した状態で、各ボス８４,８５に螺挿されるネジ９５によって固定されている。複数の第１取付ボス８４は、図１８に示す如く、前記可動部材４３に配設されたローラ６７が移動する案内路８１に沿って等間隔で離間しているから、第１支え部材７６および第２支え部材８７の案内路８１を画成している部分の離間間隔を、該案内路８１の延在方向の全領域に亘って等間隔に保持することができる。すなわち、案内路８１を画成する両支え部材７６,８７の前後幅が、適正値に対して近づき過ぎてしまうことで、案内路８１内においてローラ６７が両支え部材７６,８７に同時に当接するのを防止し得ると共に、両支え部材７６,８７の前後幅が、適正値に対して離れ過ぎてしまうことで、ローラ６７が各支え部材７６,８７に当接して規制される可動部材４３の前後方向の変位量が大きくなってしまうのを防止し得る。
【００７７】
前記支持部６８においてローラ６７を支持する受部６９に対して取付部材７０は、図１６に示す如く、前記開口部６９ａ,７０ｂの形成位置から長手方向の一端側に偏倚した位置において１本のネジで取付けられている。すなわち、受部６９に対して取付部材７０を平行な姿勢を保ったまま回動することは可能であり、各部品の成形誤差や組付け誤差等によってローラ６７における軸方向の側面(軸部６７ａ,６７ａを除くローラ本体の側面)が取付部材７０の第２開口部７０ｂの内縁に接触するおそれのある場合には、受部６９に対して取付部材７０を回動調節してローラ６７が第２開口部７０ｂの内縁に接触しないようにすることができ、ローラ６７の円滑な転動が阻害されるのを防いで、可動部材４３の円滑な動作を図り得る。
【００７８】
また、前記受部６９に対する取付部材７０の回動範囲は、該取付部材７０に設けた突部７５および規制部７３が、前記自由端側延在部５０の先端面５０ｂおよび下面５０ｃに当接する範囲に設定されている。そしてこの範囲は、図１６に示す如く、突部７５が先端面５０ｂに当接した状態および規制部７３が下面５０ｃに当接した状態の何れにおいても、前記第１開口部６９ａと第２開口部７０ｂとの前後方向に整列している開口領域の寸法が、ローラ６７におけるローラ本体の図１６で表わされる投影形状の外形寸法より大きくなるよう設定される。すなわち、受部６９に対して取付部材７０を回動し過ぎることで、ローラ６７が第２開口部７０ｂの内縁に接触して円滑な転動が阻害されるのを防止ぐことができる。
【００７９】
前記可動部材４３は、第１位置において前記支持部６８の突出端部６８ａが、図１８に示すように、第１支え部材７６の第１位置決め部８２に当接した状態で支持されている。すなわち、長尺な可動部材４３の自由端部の荷重は、支持部６８の突出端部６８ａで支持される。この突出端部６８ａは、支持部６８において前記受部６９のボス部７２と取付部材７０の筒部７４とが嵌合してネジ止めされる部分側の端部であるから剛性は高く、この突出端部６８ａで可動部材４３(主可動体４５)の荷重を支持することで、受部６９と取付部材７０とによるローラ６７の支持部分への可動部材４３(主可動体４５)の荷重の影響を抑制することができる。すなわち、可動部材４３が第２位置から第１位置に戻る際には、該可動部材４３が長尺であるために自由端部側の慣性が大きく、突出端部６８ａが第１位置決め部８２に衝突するおそれがあるが、その衝撃を剛性の高い突出端部６８ａで受けることで、ローラ６７の支持部分への影響を抑制し得る。
【００８０】
前記裏ユニット１９の上対向面部３３ａに配設された複数の発光基板の配線を束ねた配線束３６は、図２４に示す如く、前記第１支え部材７６の案内盤部７７、第２支え部材８７の配線押さえ部９１および裏ユニット１９の左画壁部３４ｃにより画成された引き回し経路９２を上側から下側に引き回された後(図１７,図１８参照)、裏ユニット１９の下対向面部３３ｂの裏側に配設した中継基板に接続される。引き回し経路９２を引き回される配線束３６は、第２支え部材８７の配線押さえ部９１により前側から押えられて前方に変位するのは防止され、かつ該配線押さえ部９１の延出端部と裏ユニット１９の左画壁部３４ｃとの離間間隔は、配線束３６が通過できない値に設定されているから、左対向面部３３ｃに沿って上下方向に引き回されている配線束３６が、裏ユニット１９の前端から前方に延出することはない。従って、板部材１８と裏ユニット１９との組付けに際し、配線束３６が両部材１８,１９間に挟まれてしまうことはなく、断線等の発生を防止し得る。また、板部材１８と裏ユニット１９との組付けに際して配線束３６を挟まないように気を付けて作業をする必要もなく、作業性が良い。実施例では、前記可動演出装置４２が配設される裏ユニット１９の左画壁部３４ｃおよび該可動演出装置４２の可動部材４３の移動案内および変位規制する第１支え部材７６および第２支え部材８７を利用して配線束３６の引き回し経路９２を画成しているから、該経路９２を画成するためにのみ機能する部品を設ける必要はなく、部品点数を低減して組付け工数を少なくし得ると共に組付け構造の簡略化を図り得る。
【００８１】
前記第１支え部材７６と第２支え部材８７とを固定する前記第２取付ボス８５は、図１８、図２２に示す如く、前記引き回し経路９２と前記案内路８１との間に位置しており、引き回し経路９２を引き回されている配線束３６の案内路８１側への変位は第２取付ボス８５により規制される。すなわち、前記ローラ６７の移動領域である案内路８１側に配線束３６が移動してしまい、該配線束３６がローラ６７に接触したり引掛かることで前記可動部材４３の移動が阻害されたり配線束３６が損傷するのを防止し得る。また、両支え部材７６,８７を固定するための第２取付ボス８５を、配線束３６の変位を規制する部品として兼用することで、専用の部品を設けることによる部品点数や組付け工数の増加を抑制し、組付け構造の簡略化を図り得る。
【００８２】
前記第１支え部材７６に設けられて前記案内路８１を画成する区画壁８０は、図１８、図２２に示すように、該案内路８１と前記引き回し経路９２とを区画するように両支え部材７６,８７間に位置しており、該区画壁８０によっても引き回し経路９２を引き回されている配線束３６の案内路８１側への変位は確実に規制される。すなわち、可動部材４３(主可動体４５)と配線束３６とが干渉するのを防止して、可動部材４３(主可動体４５)の円滑な移動を達成することができる。なお、実施例では、前記裏ユニット１９に設けられて第１支え部材７６の切欠部７７ｃに挿通されて前方に延出する前記ガイド壁３７の左端面が左画壁部３４ｃから離間し(図４参照)、該ガイド壁３７の左端面と左画壁部３４ｃとの間を配線束３６が引き回されるようになっている。すなわち、ゲートセンサの取付けおよびゲートセンサの配線の挿通のために設けられるガイド壁３７も、引き回し経路９２を引き回されている配線束３６が案内路８１側へ変位するのを規制する部材として機能している。
【００８３】
前記第２支え部材８７には、図２３に示す如く、前後方向に貫通する係合孔９３ａが穿設された被係合部９３が設けられており、前記板部材１８に配設した前記装飾部材２６に設けた係合部２６ｂを該係合孔９３ａに前側から挿通し、該係合部２６ｂに設けたリブ２６ｄを被係合部９３に当接した状態で、該装飾部材２６を取付けた前記板部材１８を裏ユニット１９に固定することで、第２支え部材８７の前方への変位が規制される。従って、第２支え部材８７と第１支え部材７６との離間間隔を一定に保つことができ、前記可動部材４３のローラ６７が前後方向に変位する際の範囲を一定に維持し得る。
【００８４】
実施例では、前記第２支え部材８７は、前記可動部材４３に配設したローラ６７の変位を規制する機能だけでなく、前記板状本体８８に設けた配線押さえ部９１による配線束３６の変位を規制する機能を有するよう構成したから、各機能を有する部品を別々に用意する必要はなく、部品点数を低減し得ると共に組付け工数も少なくすることができる。よって、各機能を有する部品を別々に組付けるための構成を裏ユニット１９や第１支え部材７６等に設ける必要はなく、組付け構造を簡略化し得る。
【００８５】
(変更例)
本願は前述した実施例の構成に限定されるものではなく、その他の構成を適宜に採用することができる。
(1) 実施例では、遊技盤を木製の板部材と裏ユニットとから構成したが、アクリル等の透明な材料で形成した透明板と裏ユニットとから構成したものであってもよく、または木製や合成樹脂製(透明、不透明の何れでも可)の板部材のみから遊技盤を構成したものであってもよい。
(2) 実施例では、受部と取付部材との取付部位を、支持部(主可動体)の移動方向の一方である下側に偏倚した位置としたが、上側に偏倚した位置であってもよい。
(3) 実施例では、受部に設けたボス部(凸部)を取付部材に設けた筒部(凹部)に嵌合したが、受部に筒部(凹部)を設けると共に取付部材にボス部(凸部)を設け、両者を嵌合した状態でネジ止めする構成を採用し得る。
(4) 実施例では、可動部材(主可動体)の長手方向の一端部を裏ユニットの右下端部に回転可能に支持して揺動するよう構成したが、可動部材(主可動体)を回転可能に支持する位置は、実施例とは左右逆、あるいは裏ユニットの上端部側の左端部または右端部の何れであってもよく、その支持位置は限定されるものではない。
(5) 実施例では、可動部材(主可動体)の長手方向の一端部を回転可能に支持して揺動するよう構成したが、可動部材(主可動体)を直線的に移動するよう構成したものであってもよい。この場合には、可動部材(主可動体)の長手方向の両端に、実施例の構成に係るローラを配設し、各ローラを挟んで一対の支え部材を夫々設けるよう構成すればよい。
(6) 実施例では、可動部材として主可動体に副可動体を移動可能に配設した構成としたが、主可動体のみから可動部材を構成したものであってもよい。
(7) 可動部材(主可動体)を動作する駆動機構(主駆動機構)は、駆動源としてモータを用いたものに限らず、ソレノイド等のリニアアクチュエータを用いたものを採用することができ、また駆動源からの動力を伝達する機構も歯車を用いたものに限らず、リンク機構等、その他の機構を用いることができる。
(8) 実施例では、配線押さえ部を第２支え部材の端縁部に離間して複数設けたが、該配線押さえ部を第２支え部材の端縁の全長に亘って連続的に設けてもよい。なお、配線押さえ部に、装飾部材の係合部が係合する被係合部を設けてもよく、この構成では配線押さえ部を装飾部材で前側から押さえて位置規制することができる。
(9) 実施例では、第１支え部材に突設した第２取付ボスを配線束の変位を規制する規制突部としたが、第２支え部材に第１支え部材を固定するための取付ボスを設け、該取付ボスを規制突部として機能するようにしてもよい。または、両支え部材に夫々取付ボスを設け、両取付ボスで規制突部を構成することも可能である。
(10) 実施例では第１支え部材に区画壁を突設したが、第２支え部材に区画壁を突設してもよい。または、両支え部材に夫々区画壁を設けてもよい。
(11) 実施例では、ローラの移動領域と引き回し経路とを区画する区画壁を、ローラが移動する案内路(移動領域)の全略域に亘って設けていないが、該案内路(移動領域)の全領域に区画壁を設けてもよい。また、区画壁は連続するものでなく、案内路(移動領域)側への配線束の変位を規制し得る範囲で不連続に設けられるものであってもよい。
(12) 遊技機としては、パチンコ機に限られるものではなく、アレンジボール機やパチンコ球を用いたスロットマシン等、その他各種の遊技機であってもよい。
【符号の説明】
【００８６】
１７  遊技機
１８  板部材
１８ａ  遊技領域
１９  裏ユニット
３４ｃ  左画壁部(壁部)
３６  配線束(配線)
４２  可動演出装置
４５  主可動体(可動体)
５０ｂ  先端面(一面)
５０c  下面(他面)
６７  ローラ
６８  支持部
６９  受部
６９ａ  第１開口部(開口部)
７０  取付部材
７０ｂ  第２開口部(開口部)
７２  ボス部(凸部)
７３  規制部(第２規制部)
７４  筒部(凹部)
７５  突部(第１規制部)
７６  第１支え部材
８０  区画壁
８２  第１位置決め部(位置決め部)
８４  第１取付ボス(固定手段)
８５  第２取付ボス(規制突部)
８７  第２支え部材
９１  配線押さえ部
９２  引き回し経路
９５  ネジ(固定手段)
【図１】
0005538110.tif 000002
【図２】
0005538110.tif 000003
【図３】
0005538110.tif 000004
【図４】
0005538110.tif 000005
【図５】
0005538110.tif 000006
【図６】
0005538110.tif 000007
【図７】
0005538110.tif 000008
【図８】
0005538110.tif 000009
【図９】
0005538110.tif 000010
【図１０】
0005538110.tif 000011
【図１１】
0005538110.tif 000012
【図１２】
0005538110.tif 000013
【図１３】
0005538110.tif 000014
【図１４】
0005538110.tif 000015
【図１５】
0005538110.tif 000016
【図１６】
0005538110.tif 000017
【図１７】
0005538110.tif 000018
【図１８】
0005538110.tif 000019
【図１９】
0005538110.tif 000020
【図２０】
0005538110.tif 000021
【図２１】
0005538110.tif 000022
【図２２】
0005538110.tif 000023
【図２３】
0005538110.tif 000024
【図２４】
0005538110.tif 000025